(57)【要約】【課題】  電装品ユニットの修理時において、作業性がよく、接続の品質・信頼性を向上することができるとともに、リード線の余剰処理を必要としない、空気調和機の室外機及び空気調和機の電装品ユニット装置を得ること。【解決手段】  空気調和機の室外機内部をファン室２３と機械室２４とに区画する仕切板２２の上部に電装品ユニット３を固定してなる空気調和機の室外機２０において、電装品ユニット３は、電装品を搭載した回路基板２と、この回路基板２を保持し仕切板２２に固定されるホルダー１とを備え、さらにホルダー１の後部に爪４を設け、この爪４が係合する係合穴５を仕切板２２に設け、電装品ユニット３を仕切板２２から取り外した後、爪４を係合穴５に係合させることより、電装品ユニット３をその手前側が持ち上がるように回転可能に支持する。【選択図】      図２
2006064208.tif 000002
【特許請求の範囲】
【請求項１】
空気調和機の室外機内部をファン室と機械室とに区画する仕切板の上部に電装品ユニットを固定してなる空気調和機の室外機において、
前記電装品ユニットは、電装品を搭載した回路基板と、この回路基板を保持し前記仕切板に固定されるホルダーとを備え、さらに前記ホルダーの後部に爪を設け、この爪が係合する係合穴を前記仕切板に設け、前記電装品ユニットを前記仕切板から取り外した後、前記爪を前記係合穴に係合させることより、前記電装品ユニットをその手前側が持ち上がるように回転可能に支持してなることを特徴とする空気調和機の室外機。
【請求項２】
前記回路基板にコネクタを介して接続されるリード線の通り口を前記爪の近傍の回転中心寄りに設けたことを特徴とする請求項１記載の空気調和機の室外機。
【請求項３】
前記爪は前記ホルダーに逆Ｌ字状に設けられた取付片に垂設され、前記係合穴は前記仕切板に逆Ｌ字状に設けられた取付片に設けられていることを特徴とする請求項１または２記載の空気調和機の室外機。
【請求項４】
空気調和機の室外機内部をファン室と機械室とに区画する仕切板の上部に固定される電装品ユニットであって、
前記電装品ユニットは、電装品を搭載した回路基板と、この回路基板を保持するホルダーとを備え、さらに前記ホルダーの側面に設けられた取付片に垂設された爪を有し、
前記仕切板に設けられた係合穴に前記爪を係合させることにより、前記電装品ユニットをその手前側が持ち上がるように傾斜状態に支持してなることを特徴とする空気調和機の電装品ユニット装置。
【発明の詳細な説明】
【技術分野】
【０００１】
本発明は、空気調和機の室外機に係り、特に空気調和機の室外機内に設置される電装品ユニット装置に関する。
【背景技術】
【０００２】
従来の空気調和機の室外機における電装品ユニット装置として、電源板固定具を室外機に着脱可能に固定し、電装品の修理時には電源板を電源板固定具に設けられたフランジに固定することにより、電源板を任意の角度で固定するものがある（例えば、特許文献１参照）。
【０００３】
また、空気調和機室外機に関するものではないが、衛生洗浄装置の制御ユニットを実装する場合の配線作業および実装作業を容易にするために、制御ユニットを本体底部に実装するための固定手段の一部にヒンジ部を設けて、制御ユニットの実装作業時に、制御ユニットを回転自在に支持するものがある（例えば、特許文献２参照）。
【０００４】
【特許文献１】特開平６−１７４２６８号公報
【特許文献２】特開平１０−３１１０７７号公報
【発明の開示】
【発明が解決しようとする課題】
【０００５】
しかし、特許文献１の電装品ユニット装置では、電源板を仮置きするための電源板固定具を別に設け、電装品の修理時には電源板固定具のフランジに電源板を付け替えるものであるため、部品点数が多くコスト高になるとともに、電源板の付け替え作業に手数がかかる。そのうえに、電源板の付け替えの際にリード線が引っ張られて断線等を引き起こしたりしないようにするため、あらかじめリード線を長くしておく必要があり、また、電源板を正規位置にセットする場合には、リード線を長くした分、その余剰処理をする必要がある。したがって、電源板の付け替えの際にはリード線の引き出しおよび収納に留意を払わなければならず、その処理が非常に面倒である。
さらに、電装品の修理時に電源板は正面からみて後側が持ち上がるように傾斜して取り付けられるため、電装品の取り外し・取付の交換作業が基板端子部を視認して作業することが非常に厄介であるなどの問題点がある。
【０００６】
一方、特許文献２の電装品ユニット装置では、制御ユニットが本体底部にヒンジ部により回転自在に取り付けられているため、電装品の修理時には制御ユニットの回路基板を手前側に裏返しに起こすことができるので、特許文献１のような電装品交換作業時の煩雑さはないが、空気調和機の室外機においてはこのような取付方式をとることはできない。というのは、室外機の場合、電装品ユニットは電装品を搭載した回路基板と、この回路基板を保持するホルダーとからなり、さらに仕切板により、ファンや室外熱交換器等が設置されるファン室と、圧縮機等が設置される機械室とに区画されているため、上記電装品ユニットを室外機の底部に設置するのは不可能で、仕切板の上部に設置するのが普通であるからである。
【０００７】
従来の一般的な電装品ユニットは、複数の取付ネジにより仕切板に固定されているものであり、電装品の修理時には取付ネジを外し、電装品ユニットを裏返しにして基板端子部を視認しながら配線作業をしなければならないので、作業性が悪く、かつ断線等を引き起こさないようリード線の余剰処理をする必要があるなどの課題があった。
【０００８】
本発明は、上記のような課題に鑑みてなされたもので、電装品ユニットの修理時において、作業性がよく、接続の品質・信頼性を向上することができるとともに、リード線の余剰処理を必要としない、空気調和機の室外機及び空気調和機の電装品ユニット装置を得ることを目的とする。
【課題を解決するための手段】
【０００９】
前記課題を解決するため、本発明に係る空気調和機の室外機は、空気調和機の室外機内部をファン室と機械室とに区画する仕切板の上部に電装品ユニットを固定してなる空気調和機の室外機において、
前記電装品ユニットは、電装品を搭載した回路基板と、この回路基板を保持し前記仕切板に固定されるホルダーとを備え、さらに前記ホルダーの後部に爪を設け、この爪が係合する係合穴を前記仕切板に設け、前記電装品ユニットを前記仕切板から取り外した後、前記爪を前記係合穴に係合させることより、前記電装品ユニットをその手前側が持ち上がるように回転可能に支持してなるものである。
【発明の効果】
【００１０】
本発明の空気調和機の室外機は、上記のように構成された電装品ユニットを備えているので、その電装品の修理時には、ホルダー後部に設けられた爪を仕切板に設けられた係合穴に係合することにより、電装品ユニットをその手前側が持ち上がるように回転可能に支持するため、基板端子部を視認しながら配線作業をすることができる。そのため、作業性が非常によくなるとともに、配線ミスを防ぐことができるため、接続の品質・信頼性が向上する効果がある。
【発明を実施するための最良の形態】
【００１１】
以下、本発明の実施の形態の一例を図面に基づいて説明する。図１はこの実施の形態における空気調和機室外機の内部構成を示す概略正面図、図２は図１のＡ−Ａ矢視断面における電装品ユニット装置の回転保持状態及びセット状態を示す部分断面図、図３は電装品ユニット装置の分解斜視図である。
【００１２】
図１において、空気調和機の室外機２０は、仕切板２２により、ケーシング２１の内部をファン室２３と機械室２４とに区画されている。ファン室２３には送風ファン２５やファンモータ、室外熱交換器等が設置され、機械室２４には圧縮機２６や四方弁等が設置されている。
【００１３】
上記仕切板２２の上部に電装品ユニット３が取り付けられている。電装品ユニット３は、枠体からなるホルダー１の内部に、送風ファン２５や圧縮機２６、四方弁等を制御するための電子・電気部品（電装品）が搭載されたプリント基板からなる回路基板２を保持してなるものである。
そしてさらに、図２、図３に示すように、ホルダー１の後部に爪４が設けられ、仕切板２２にはこの爪４が係合する係合穴５が設けられて、爪４を係合穴５に係合させることにより電装品ユニット３を回転可能に保持するようになっている。
【００１４】
爪４は、ホルダー１の後部に逆Ｌ字状に設けられた取付片６の下面に垂設されており、複数（この例では２つ）の爪４が設けられている。
これらの爪４がそれぞれ係合する係合穴５は、仕切板２２に逆Ｌ字状に設けられた取付片７に設けられている。さらに、爪４を係合穴５に挿入しやすいようにするため、係合穴５は取付片７のコーナー部を挟んで垂直部分と水平部分にかけて開口している。これによって、電装品ユニット３を斜め方向から挿入することができる。
【００１５】
ホルダー１内に保持された上記回路基板２には、マイクロコンピュータチップやパワートランジスタ、コンデンサ、抵抗などの電子・電気部品（電装品）が搭載されており、回路基板２の裏面にはこれらの電装品に接続するための複数のコネクタ８と各コネクタ８に接続されたリード線９が配線されている。
【００１６】
そして、これらのリード線９は、ホルダー１の側面などに設けられたリード線通り口１０を通って図１の端子台１１に接続されている。端子台１１には別のリード線（図示せず）の一端が接続され、そのリード線の他端はファンモータや圧縮機、四方弁、外気温度検出用の外気温サーミスタ、冷媒管温度検出用の管温サーミスタ等に接続されている。
【００１７】
また、リード線通り口１０は、例えば、フックや切欠き、穴などから形成されており、なるべく爪４近傍の回転中心１２（図２参照）寄りにリード線通り口１０が設けられている。これによって、コネクタ８からリード線通り口１０までの距離が変わらなくなるので、リード線９の余剰処理をしなくてもよくなる。
【００１８】
次に、上記のように構成された電装品ユニット装置の動作について説明する。
電装品ユニット３は、図２の破線で示すように、ホルダー１を複数の取付ネジにより仕切板２２の上部に固定される。図３にはそのうちの一つのネジ穴１３が示されている。ネジ穴１３は取付片７の２つの係合穴５の間の斜面打ち出し部に設けられている。１４はホルダー１側の取付片６の斜面打ち出し部に設けられたネジ挿通穴である。
【００１９】
回路基板２上に搭載された電装品の修理の際には、上記取付ネジを全部外し、電装品ユニット３を仕切板２２から取り外す。そして、図２の実線で示すように、ホルダー１側の取付片６に垂設された爪４を、仕切板２２側の取付片７に設けられた係合穴５に挿入し、爪４を取付片７の係合部５ａに係合させながら回転中心１２を中心に電装品ユニット３を回転させ保持する。このとき、ホルダー１側の取付片６の垂直部分がホルダー１側の取付片６のコーナー部６ａに接触し、一方爪４が取付片７の係合部５ａに接触しているので、電装品ユニット３はこれら２箇所の接触点で支えられ、手前側を持ち上げた斜めの状態に支持される。
【００２０】
そのため、回路基板２の手前側が持ち上がるため、基板端子部を視認することができるので、配線作業を容易に行うことができる。またこれによって、配線ミスも防ぐことができ、接続の品質・信頼性が向上する。また、コネクタ８の取り外しも容易に行うことができる。さらにまた、それぞれの取付片６、７に爪４、係合穴５を設けるだけであるので、スペースもとらず、かつ部品点数を増やすことなく安価な電装品ユニット装置が得られる。
【００２１】
さらに、リード線９の通り口１０を爪４近傍の回転中心１２寄りに設けているので、コネクタ８（基板端子部）からリード線通り口１０までの距離が変わらないので、リード線９の長さも余ることがなく、リード線９の余剰処理をしなくてもよいことになる。
【図面の簡単な説明】
【００２２】
【図１】本発明の実施の形態における空気調和機室外機の内部構成を示す概略正面図。
【図２】図１のＡ−Ａ矢視断面における電装品ユニット装置の回転保持状態及びセット状態を示す部分断面図。
【図３】電装品ユニット装置の分解斜視図。
【符号の説明】
【００２３】
１  ホルダー、２  回路基板、３  電装品ユニット、４  爪、５  係合穴、６  取付片、７  取付片、８  コネクタ、９  リード線、１０  リード線通り口、１１  端子台、１２  回転中心、１３  ネジ穴、１４  ネジ挿通穴、２０  空気調和機室外機、２１  ケーシング、２２  仕切板、２３  ファン室、２４  機械室、２５  送風ファン、２６  圧縮機。
【図１】
2006064208.tif 000003
【図２】
2006064208.tif 000004
【図３】
2006064208.tif 000005